【手続補正書】
【提出日】平成23年12月5日(2011.12.5)
【手続補正１】
【補正対象書類名】明細書
【補正対象項目名】０１０４
【補正方法】変更
【補正の内容】
【０１０４】
【表１７】
2011508020.tif 000001
【表１８】
2011508020.tif 000002
【手続補正２】
【補正対象書類名】明細書
【補正対象項目名】０１０５
【補正方法】変更
【補正の内容】
【０１０５】
以上、本発明を要約すると下記のとおりである。
１．（ａ）シス−１，１，１，４，４，４−ヘキサフルオロ−２−ブテンとギ酸メチルとの共沸混合物と；
（ｂ）２個またはそれ以上の活性水素を有する活性水素含有化合物と
を含む発泡体形成組成物。
２．（ａ）シス−１，１，１，４，４，４−ヘキサフルオロ−２−ブテンとギ酸メチルとの共沸様混合物と；
（ｂ）２個またはそれ以上の活性水素を有する活性水素含有化合物と
を含む発泡体形成組成物。
３．（ａ）シス−１，１，１，４，４，４−ヘキサフルオロ−２−ブテンと１，１，１，３，３−ペンタフルオロブタンとの共沸様混合物と；
（ｂ）２個またはそれ以上の活性水素を有する活性水素含有化合物と
を含む発泡体形成組成物。
４．（ａ）シス−１，１，１，４，４，４−ヘキサフルオロ−２−ブテンとトランス−１，２−ジクロロエチレンとの共沸混合物と；
（ｂ）２個またはそれ以上の活性水素を有する活性水素含有化合物と
を含む発泡体形成組成物。
５．（ａ）シス−１，１，１，４，４，４−ヘキサフルオロ−２−ブテンとトランス−１，２−ジクロロエチレンとの共沸様混合物と；
（ｂ）２個またはそれ以上の活性水素を有する活性水素含有化合物と
を含む発泡体形成組成物。
６．（ａ）シス−１，１，１，４，４，４−ヘキサフルオロ−２−ブテンとペンタンとの共沸混合物と；
（ｂ）２個またはそれ以上の活性水素を有する活性水素含有化合物と
を含む発泡体形成組成物。
７．（ａ）シス−１，１，１，４，４，４−ヘキサフルオロ−２−ブテンとペンタンとの共沸様混合物と；
（ｂ）２個またはそれ以上の活性水素を有する活性水素含有化合物と
を含む発泡体形成組成物。
８．（ａ）シス−１，１，１，４，４，４−ヘキサフルオロ−２−ブテンとイソペンタンとの共沸混合物と；
（ｂ）２個またはそれ以上の活性水素を有する活性水素含有化合物と
を含む発泡体形成組成物。
９．（ａ）シス−１，１，１，４，４，４−ヘキサフルオロ−２−ブテンとイソペンタンとの共沸様混合物と；
（ｂ）２個またはそれ以上の活性水素を有する活性水素含有化合物と
を含む発泡体形成組成物。
１０．（ａ）シス−１，１，１，４，４，４−ヘキサフルオロ−２−ブテンとシクロペンタンとの共沸混合物と；
（ｂ）２個またはそれ以上の活性水素を有する活性水素含有化合物と
を含む発泡体形成組成物。
１１．（ａ）シス−１，１，１，４，４，４−ヘキサフルオロ−２−ブテンとシクロペンタンとの共沸様混合物と；
（ｂ）２個またはそれ以上の活性水素を有する活性水素含有化合物と
を含む発泡体形成組成物。
１２．（ａ）シス−１，１，１，４，４，４−ヘキサフルオロ−２−ブテンと１，１，１，３，３−ペンタフルオロプロパンとの共沸様混合物と；
（ｂ）２個またはそれ以上の活性水素を有する活性水素含有化合物と
を含む発泡体形成組成物。
１３．（ａ）シス−１，１，１，４，４，４−ヘキサフルオロ−２−ブテンとジメトキシメタンとの共沸様混合物と；
（ｂ）２個またはそれ以上の活性水素を有する活性水素含有化合物と
を含む発泡体形成組成物。
１４．前記活性水素含有化合物がポリエーテルポリオールである、上記１〜１３のいずれかに記載の発泡体形成組成物。
１５．上記１〜１４のいずれかに記載の有効量の発泡体形成組成物と適したポリイソシアネートとの反応から製造される独立気泡のポリウレタンまたはポリイソシアヌレートポリマー発泡体。
１６．前記ポリマー発泡体が６．０フィート２−時間−°Ｆ／ＢＴＵ−インチより大きい初期Ｒ値を有する上記１５に記載の独立気泡のポリウレタンまたはポリイソシアヌレートポリマー発泡体。
１７．上記１〜１４のいずれかに記載の有効量の発泡体形成組成物を適したポリイソシアネートと反応させる工程を含む独立気泡のポリウレタンまたはポリイソシアヌレートポリマー発泡体の製造方法。
【手続補正３】
【補正対象書類名】特許請求の範囲
【補正対象項目名】全文
【補正方法】変更
【補正の内容】
【特許請求の範囲】
【請求項１】
（ａ）シス−１，１，１，４，４，４−ヘキサフルオロ−２−ブテンとギ酸メチルとの共沸混合物と；
（ｂ）２個またはそれ以上の活性水素を有する活性水素含有化合物と
を含む発泡体形成組成物。
【請求項２】
（ａ）シス−１，１，１，４，４，４−ヘキサフルオロ−２−ブテンとギ酸メチルとの共沸様混合物と；
（ｂ）２個またはそれ以上の活性水素を有する活性水素含有化合物と
を含む発泡体形成組成物。
【請求項３】
（ａ）シス−１，１，１，４，４，４−ヘキサフルオロ−２−ブテンと１，１，１，３，３−ペンタフルオロブタンとの共沸様混合物と；
（ｂ）２個またはそれ以上の活性水素を有する活性水素含有化合物と
を含む発泡体形成組成物。
【請求項４】
（ａ）シス−１，１，１，４，４，４−ヘキサフルオロ−２−ブテンとトランス−１，２−ジクロロエチレンとの共沸混合物と；
（ｂ）２個またはそれ以上の活性水素を有する活性水素含有化合物と
を含む発泡体形成組成物。
【請求項５】
（ａ）シス−１，１，１，４，４，４−ヘキサフルオロ−２−ブテンとトランス−１，２−ジクロロエチレンとの共沸様混合物と；
（ｂ）２個またはそれ以上の活性水素を有する活性水素含有化合物と
を含む発泡体形成組成物。
【請求項６】
（ａ）シス−１，１，１，４，４，４−ヘキサフルオロ−２−ブテンとペンタンとの共沸混合物と；
（ｂ）２個またはそれ以上の活性水素を有する活性水素含有化合物と
を含む発泡体形成組成物。
【請求項７】
（ａ）シス−１，１，１，４，４，４−ヘキサフルオロ−２−ブテンとペンタンとの共沸様混合物と；
（ｂ）２個またはそれ以上の活性水素を有する活性水素含有化合物と
を含む発泡体形成組成物。
【請求項８】
（ａ）シス−１，１，１，４，４，４−ヘキサフルオロ−２−ブテンとイソペンタンとの共沸混合物と；
（ｂ）２個またはそれ以上の活性水素を有する活性水素含有化合物と
を含む発泡体形成組成物。
【請求項９】
（ａ）シス−１，１，１，４，４，４−ヘキサフルオロ−２−ブテンとイソペンタンとの共沸様混合物と；
（ｂ）２個またはそれ以上の活性水素を有する活性水素含有化合物と
を含む発泡体形成組成物。
【請求項１０】
（ａ）シス−１，１，１，４，４，４−ヘキサフルオロ−２−ブテンとシクロペンタンとの共沸混合物と；
（ｂ）２個またはそれ以上の活性水素を有する活性水素含有化合物と
を含む発泡体形成組成物。
【請求項１１】
（ａ）シス−１，１，１，４，４，４−ヘキサフルオロ−２−ブテンとシクロペンタンとの共沸様混合物と；
（ｂ）２個またはそれ以上の活性水素を有する活性水素含有化合物と
を含む発泡体形成組成物。
【請求項１２】
（ａ）シス−１，１，１，４，４，４−ヘキサフルオロ−２−ブテンと１，１，１，３，３−ペンタフルオロプロパンとの共沸様混合物と；
（ｂ）２個またはそれ以上の活性水素を有する活性水素含有化合物と
を含む発泡体形成組成物。
【請求項１３】
（ａ）シス−１，１，１，４，４，４−ヘキサフルオロ−２−ブテンとジメトキシメタンとの共沸様混合物と；
（ｂ）２個またはそれ以上の活性水素を有する活性水素含有化合物と
を含む発泡体形成組成物。
【請求項１４】
請求項１〜１３のいずれか一項に記載の有効量の発泡体形成組成物と適したポリイソシアネートとの反応から製造される独立気泡のポリウレタンまたはポリイソシアヌレートポリマー発泡体。
【請求項１５】
請求項１〜１３のいずれか一項に記載の有効量の発泡体形成組成物を適したポリイソシアネートと反応させる工程を含む独立気泡のポリウレタンまたはポリイソシアヌレートポリマー発泡体の製造方法。